(57)【要約】【課題】通常の使用法に従って使用されていれば、紙葉が簡単に綴じ具から剥がれるおそれがなく、仮に紙葉が綴じ具から剥がれてしまった時でも、再度綴じ具への綴じ込みや、新しい紙葉の綴じ込みを簡単に行える差し換え可能なリング綴じ冊子を提供する。【解決手段】紙葉１の側辺２から綴じ穴３に向けて切り込まれる切り込み線９を、各綴じ穴３の一方の側縁に沿って設けることにより、Ｔ字形余白部１１の両端部を両側方向へ長く突出させて、綴じ穴３内に挿通される係止片６を、懐の深いＴ字形余白部１１の両端部内側に安定よく係止させて、安易に剥がれないようにする。【選択図】  図１
2004262215.tif 000002
【特許請求の範囲】
【請求項１】
側辺に沿って複数個の綴じ穴を設け、これらの綴じ穴と側辺との間に切り込み線を設けた紙葉を、綴じ穴に係止片を挿通して綴じるリング綴じ冊子であって、紙葉の側辺に、第１の綴じ穴では切り込み線を該綴じ穴の一方の側縁に沿った位置に設けることで、この切り込み線と第１の綴じ穴の横幅とにより第１の鈎型通路を形成し、前記第１の綴じ穴と隣接する第２の綴じ穴では、切り込み線を、前記第１の綴じ穴の切り込み線位置と対称位置である第２綴じ穴の他方の側縁に沿った位置に設けることで、この切り込み線と第２の綴じ穴の横幅とにより第１の鈎型通路と対称形の第２の鈎型通路を形成して、これらの第１の鈎型通路と第２の鈎型通路との間にＴ字形の余白部と、該Ｔ字形余白部の両側に両切り込み線を隔てて設けられる一対のＩ字形ストッパーとが配列されているリング綴じ冊子。
【請求項２】
紙葉の側辺に複数個の綴じ穴を開設し、これらの綴じ穴と紙葉側辺との間に綴じ穴の一方の側縁に沿った切り込み線を設けて、互いに対称的な第１の鈎型通路と第２の鈎型通路とを設けることで、紙葉の側辺に、Ｔ字形の余白部と、該Ｔ字形余白部の両側に両切り込み線を隔てて設けられる一対のＩ字形ストッパーとを配列させたリング綴じ冊子の紙葉と、この紙葉を差し換え頁用として、綴じ具の係止片に綴じ込むための綴じ補助具との組み合わせからなり、前記綴じ具が、新しく綴じられる紙葉の側辺におけるＴ字形余白部を、綴じ具における各係止片の間の上方に配列して、この新しく綴じられる紙葉のＴ字形余白部を、各係止片の下方内側へ押し下げることのできる多数の差込み突片を間隔をおいて突設した櫛状体からなっているリング綴じ冊子。
【請求項３】
冊子の表面に綴じられるカバーの一部に、スリーブ状の綴じ補助具保管用収納部が設けられていて、この収納部内に、多数の差込み突片を備えた櫛状の綴じ補助具が、着脱自在に収納されている請求項２のリング綴じ冊子。
【発明の詳細な説明】
【０００１】
【発明の属する技術分野】
本発明は、紙葉の側辺に開設された複数個の綴じ穴内に、リング状綴じ具の係止片が挿通されて綴じられていて、必要に応じて紙葉を簡単に綴じ具から剥がしたり、新しい紙葉を綴じ込むための差し換え作業が簡単に行えるようにしたリング綴じ冊子の構造に関するものである。
【０００２】
【従来の技術】
従来より、冊子の綴じ構造の一例として、針金をＵ字状に折り曲げることで形成した多数の係止片を、間隔をおいて連続的に立ち上がるように突設させて、こらの係止片を、切り込み線を有する紙葉の綴じ穴に挿通してからリング状に折り曲げて綴じる構造、また、ルーズリーフのようにバインダーを用いて紙葉を綴じる冊子の構造において、紙葉の側辺に設けられる綴じ穴を鈎形あるいはＬ字形に折り曲げておき、バインダーの係止片を綴じ穴の鈎部に係止させることで、紙葉がバインダーから外れないようにする綴じ構造が知られている（例えば、特許文献１、特許文献２）。
【０００３】
【特許文献１】
登録実用新案公報第３０２３０８０号（第１図、第２図、第３図、第４図）
【特許文献２】
実開昭４８−８１９１０号公報（図１，図２，図４）
【０００４】
上記の綴じ構造のうち、紙葉の綴じ穴に針金製の係止片を挿通するリング綴じ冊子は、頁のどの部分を開いても、それぞれの頁が安定よく平坦に開かれた状態で開かれるので、地図、楽譜、見本帳、料理・手芸の教則本などのようなものに広く利用されている。
【０００５】
【発明が解決すべき課題】
上記の冊子の綴じ構造のうち、ルーズリーフ形式によるものは、バインダーの爪形係止片を開閉することにより、必要な頁と不必要な頁との差し換えが可能なので、帳簿類に多く使用されるが、爪形の係止具を開閉するバインダーの価格が高くなるため、用途が制限され、地図、楽譜、料理・手芸の教則本などには適さないという問題点がある。
【０００６】
また、特許文献２に示した冊子のように、紙葉の綴じ穴を鈎形もしくはＬ字形とした構造では、紙葉を、鈎形綴じ穴の横溝内にバインダーの係止片が挿通するように横移動させてバインダー上に差し込んだ後に、紙葉を縦移動して係止片を綴じ穴の先端鈎部内へ係合し、この状態でバインダーの一端に設けたストッパーをロックすることで、紙葉の上下方向の動きを抑え、紙葉がバインダーの係止片から外れないように係止する構造である。そのため、不要になった紙葉をバインダーから外して、新しい紙葉を綴じ込むような差し換えは簡単にできるとしても、価格の高いバインダーを使用しなければならないので、実際には利用されないという問題点を有している。
【０００７】
一方、特許文献１に示されたリング綴じ構造では、綴じ具が針金を折り曲げただけの構造で、バインダーのような価格の高い綴じ具を必要としないため、経済的であるという利点を有しており、さらに、この構造では、紙葉の綴じ穴に紙葉側辺から切り込み線が設けられているので、綴じられた一部の紙葉が不要になったときは、その紙葉を綴じ穴から係止片が外れるようにして引っ張ると、切り込み線が係止片によって押し開かれて、綴じ穴内から係止片が外され、紙葉を簡単に剥がすことができるという利点を有する。
【０００８】
しかし、この綴じ構造では、全ての綴じ穴に設けられる切り込み線が、紙葉側辺から綴じ穴の中央部に向けて設けられていて、綴じ具の係止片がこれらの綴じ穴内の中央部に位置するように挿通されているために、敢えて紙葉を引き剥がす意図はないのに、誤って紙葉を強く引っ張った場合には、切り込み線が係止片により押し開かれて、綴じ穴内から係止片が外され、紙葉が比較的簡単に剥がれてしまって、この紙葉を再度綴じ具に綴じ込むのに苦労するという問題点を有している。
【０００９】
上記のように、綴じ具からいったん引き剥がされてしまった紙葉を、元通りに再度綴じ具へ綴じ込む作業であるとか、また、紙葉の差し換えが必要になって、不要な紙葉を剥がした後に、新しい紙葉を綴じ具に綴じ込む場合を考えた場合、このリング綴じ構造では、それぞれの係止片が１本の針金をＵ字状に折り曲げることで造られていて、それぞれの係止片のピッチ間隔が１ｃｍ程度と非常に短い間隔をおいて連続しており、Ａ４版の冊子の場合、綴じ部に合計３０個程度の係止片が突出しているために、紙葉を再度綴じ具に綴じ込むためには、この紙葉の一つ一つの綴じ穴を、指先で対応する一つ一つの係止片に嵌め合わせていかなければならず、１枚の紙葉を綴じ具に綴じ込むために３乃至５分の時間を必要とするという問題点を有している。
【００１０】
【課題を解決するための手段】
本発明は、従来におけるリング綴じ具により綴じられる冊子の紙葉が、通常の用法に従って使用されていれば、簡単に綴じ具から剥がれるおそれがなく、また、仮に紙葉が綴じ具から剥がれてしまった時でも、再度綴じ具へ綴じ込むための作業が簡単に能率よく行えるようにした新しい形式のリング綴じ冊子の提供を目的としたものである。
【００１１】
請求項１の発明は、そのための具体的手段として、側辺に沿って複数個の綴じ穴を設け、これらの綴じ穴と側辺との間に切り込み線を設けた紙葉を、綴じ穴に係止片を挿通して綴じるリング綴じ冊子であって、紙葉の側辺に、第１の綴じ穴では切り込み線を該綴じ穴の一方の側縁に沿った位置に設けることで、この切り込み線と第１の綴じ穴の横幅とにより第１の鈎型通路を形成し、前記第１の綴じ穴と隣接する第２の綴じ穴では、切り込み線を、前記第１の綴じ穴の切り込み線位置と対称位置である第２綴じ穴の他方の側縁に沿った位置に設けることで、この切り込み線と第２の綴じ穴の横幅とにより第１の鈎型通路と対称形の第２の鈎型通路を形成して、これらの第１の鈎型通路と第２の鈎型通路との間にＴ字形の余白部と、該Ｔ字形余白部の両側に両切り込み線を隔てて設けられる一対のＩ字形ストッパーとが配列されていることを特徴とする。
【００１２】
また、請求項２の発明は、紙葉の側辺に複数個の綴じ穴を開設し、これらの綴じ穴と紙葉側辺との間に綴じ穴の一方の側縁に沿った切り込み線を設けて、互いに対称的な第１の鈎型通路と第２の鈎型通路とを設けることで、紙葉の側辺に、Ｔ字形の余白部と、該Ｔ字形余白部の両側に両切り込み線を隔てて設けられる一対のＩ字形ストッパーとを配列させたリング綴じ冊子の紙葉と、この紙葉を差し換え頁用として、綴じ具の係止片に綴じ込むための綴じ補助具との組み合わせからなり、前記綴じ具が、新しく綴じられる紙葉の側辺におけるＴ字形余白部を、綴じ具における各係止片の間の上方に配列して、この新しく綴じられる紙葉のＴ字形余白部を、各係止片の下方内側へ押し下げることのできる多数の差込み突片を間隔をおいて突設した櫛状体からなっていることを特徴とする。
【００１３】
新しい紙葉を綴じ具に綴じ込むための綴じ補助具は、冊子の表面に綴じられるカバーの一部にスリーブ状の綴じ補助具保管用収納部を設けて、この収納部内に綴じ補助具が着脱自在に収納されるようにしておくことが好ましい。
【００１４】
【発明の実施の形態】
次に、本発明に係るリング綴じ冊子の構造を図面に示す第１の実施例について説明すると、図１乃至図３に示すように、この冊子の構造では、綴じ具として一本の針金５により多数のＵ字状係止片６が連続的に折り曲げられたダブルリング綴じ具４が使用される。
【００１５】
このダブルリング綴じ具４は、図１に示すように、連続する一本の針金５を用いて、紙葉１の側辺２に開設されたそれぞれの綴じ穴３内に挿通できるような幅Ｗ１を有するように、Ｕ字状に折り曲げられた一対の係止部材６ａ，６ｂからなる係止片６を形成し、前記係止片６の基端部７には、それぞれの綴じ穴３の間を横方向に連結する長さの接続片８を介して、さらに同様のＵ字状係止片６が多数平行に突出されるように折り曲げられている。
【００１６】
それぞれの紙葉１の側辺２には綴じ穴３が開設されている。この綴じ穴３は、綴じ具４の係止片６の突設位置と対応する位置に、係止片６の幅Ｗ１よりもやや大きく、係止片６を楽に挿通することのできる幅Ｗ３を有するようにして間隔をおいて、多数、側辺２に沿って開設されており、これらの綴じ穴３に、綴じ具４の係止片６が挿通されて紙葉１が綴じられるようになっている。そして、それぞれの綴じ穴３と紙葉側辺２との間には、係止片６の幅Ｗ１よりも小さい幅Ｗ２の切り込み線９が設けられている。
【００１７】
それぞれの綴じ穴３と側辺２との間に切り込み線９は、適宜の位置における第１の綴じ穴３Ａでは切り込み線９を該綴じ穴３Ａの一方の側縁３ａに沿った位置に設けることで、この切り込み線９と第１の綴じ穴３Ａの横幅とにより第１の鈎型通路１０Ａを形成し、また、前記第１の綴じ穴３Ａと隣接する第２の綴じ穴３Ｂでは、切り込み線９を、前記第１の綴じ穴３Ａの切り込み線位置と対称位置である第２綴じ穴３Ｂの他方の側縁３ｂに沿った位置に設けることで、この切り込み線９と第２の綴じ穴３Ｂの横幅とにより、第１の鈎型通路１０Ａと対称形の第２の鈎型通路１０Ｂを形成する。
【００１８】
上記のようにして第１の鈎型通路１０Ａと対称形の第２の鈎型通路１０Ｂとが形成されると、これら第１の鈎型通路１０Ａと第２の鈎型通路１０Ｂとの間にＴ字形の余白部１１と、該Ｔ字形余白部１１の両側に前記両切り込み線９、９を隔てて設けられる一対のＩ字形ストッパー１３，１３とが配列されることになる。
【００１９】
また、鈎型通路１０Ａと、これと対称形の鈎型通路１０Ｂとの間にＴ字形の余白部１１を形成すると、このＴ字形余白部１１は、図５ａに示したように、両端部１３の横方向への張り出し長さを大きく設定することができる。図５ｂは、特許文献１に示した従来の紙葉５０におけるＴ字形余白部５３を示したものであり、この従来のＴ字形余白部５３は、それぞれの切り込み線５１を綴じ穴５２の中央部に設けて、これらの切り込み線５１，５１の間に設けられるものであるため、各Ｔ字形の余白部５３は、両端部の横方向への張り出し長さが本件発明のＴ字形余白部１１よりもはるかに短くなっていることがわかる。
【００２０】
綴じ具４による紙葉１の綴じ込みに際しては、図１に示すように、所定枚数のの紙葉１の綴じ穴３内に綴じ具４の係止片６を挿通した後、図２のように各係止片６の先端部６ａを互いに基端部７の方向へリング状に折り曲げて、多数枚の紙葉１を綴じ具４に綴じ合わせる。紙葉１は綴じ具４を中心にして回転している限り、切り込み線９が開いて係止片６から剥がれることはなく、冊子綴じ具としての機能を適切に保持する。
【００２１】
上記のようにして、紙葉１の綴じ穴３内に綴じ具４の係止片６が挿通されと、図５ａに示すように、綴じ穴３と連通する切り込み線９は、それぞれの綴じ穴３のいずれか一方の側縁３ａ、３ｂに沿って設けられているので、一対の係止部材６ａ，６ｂからなるそれぞれの係止片６は、下方のＴ字形余白部１１における両端部１２の内側鈎部に確実に係止されることになる。
【００２２】
一方、図５ｂに示すように、従来例のＴ字形余白部５３では、切り込み線５１が綴じ穴５２の中央部に位置しているので、それぞれの綴じ穴５２内に挿通される一対の係止片５４は、切り込み線５１の真上部分に位置していて、係止片５４を構成する係止部材５４ａ，５４ｂの一本づつが、Ｔ字形余白部５３の短く横方向へ突出した両端部５５に僅かに係止されるだけなので、紙葉５０を矢印の方向へ引っ張ると、Ｔ字形余白部５３の両端部５５が係止部材５４ａ，５４ｂの外側へ簡単に外れて、紙葉を綴じ具から引き剥がす意図もないのに、紙葉が綴じ具から安易に剥がれてしまうという問題がある。
【００２３】
これに対して、図５ａのように、本件発明の綴じ具では、綴じ穴３と連通する切り込み線９を綴じ穴３のいずれか一方の側縁３ａ、３ｂに沿って設けることにより、Ｔ字形余白部１１の両端部１２を両側方向へ長く突出させているので、係止片６の２本の係止部材６ａ，６ｂが、ともに懐の深いＴ字形余白部１１の両端部１２の内側鈎部に余裕をもって係止される。
【００２４】
なお、その時、Ｔ字形余白部１１の両側のストッパー１３は、係止片６とその隣の係止片６との間に嵌り込んで、係止片６の横移動を確実に阻止するので、Ｔ字形余白部１１による係止片６の安定した係止作用と相俟って、紙葉が安易に剥がれることを防止し紙葉の綴じ作用を一層的確な状態とする。
【００２５】
その結果、紙葉１を矢印の方向へ僅かな力で引っ張っても、Ｔ字形余白部１１の両端部１２が、２本の係止部材６ａ，６ｂにしっかりと係止されているので、Ｔ字形余白部１１が係止片６から安易に剥がれてしまうという問題点を解消することができる。勿論、紙葉１を綴じ具から剥がす意志を持って引っ張れば、Ｔ字形余白部１１の両端部１２が、２本の係止部材６ａ，６ｂから外れるので、紙葉１を破損することなく綺麗に取り外すことができる。
【００２６】
本発明では、上記のように、紙葉が、綴じ具から安易に引き剥がれないようにすることを主たる目的とするが、この綴じ構造の実用性を高める手段として、綴じ具から剥がした紙葉の代わりに新しい紙葉を綴じ具に綴じ込むための綴じ補助具１４を備えている。
【００２７】
この綴じ補助具１４は、図６乃至図８に示すように、所定の長さを有する基端辺１５から、前記綴じ具係止片６の間に位置する紙葉１のＴ字形余白部１１とストッパー１３の表面を、各係止片６の間を通して上方から押さえることのできる幅Ｗ５をもった多数の差込み突片１６が、それぞれの突片１６の間に綴じ具係止片６の幅Ｗ１が嵌り込むような間隔をおいて突設された櫛状体からなっている。
【００２８】
この綴じ具補助具１４は、冊子の表面に設けられた厚手の紙葉からなるカバー１７にスリーブ状の保管用収納部１８を設けておいて、前記綴じ補助具１４をこの収納部１８内に引き出し自在に収納しておき、紙葉の差し換えが生じた時に収納部１８内から引き出して使用できるようになっている。なお、この綴じ具補助具１４の長さは、綴じ具４の全長に及ぶような長さであっても、あるいは、綴じ具４の半分の長さであってもよい。
【００２９】
冊子の発行後に、紙葉１の一部に印刷内容の修正があって、その頁を差し換える必要が生じた場合には、図４のように、古い紙葉１を係止片６から綴じ穴３が外れるように冊子の上方へ向けて引き剥した後、綴じ補助具１４を用いて、新しい紙葉１を綴じ具４に綴じ込む。
【００３０】
綴じ具４から取り外した紙葉１に換えて、新しい紙葉１を綴じ具４に綴じる際には、図７ａのように、新しい紙葉１を、挿入すべき頁と頁との間における各係止片６の上に、新しい紙葉１の切り込み線９が載置されるように配置して、カバー１７の内側の保管用収納部１８に収納されていた綴じ補助具１４を取り出して、この綴じ補助具１４の差込み突片１６を切り込み線９の間の余白部１１とストッパー１３の表面にあてがい、その位置でそれぞれの差込み突片１６を上方から下方へ押し込む。
【００３１】
すると、図７ｂおよび図８に示すように、それぞれの切り込み線９が押し開かれて余白部１１とストッパー１３が係止片６の内側下方へ押し込まれ、これに伴って余白部１１の両端部１２が、２本の係止部材５４ａ，５４ｂからなる係止片６の内側に嵌り込んで係止されることになり、この一回の操作によって多数の余白部１１とストッパー１３が一度に綴じ具４に綴じ合わされることになる。
【００３２】
綴じ補助具１４の長さを綴じ具４の全長と同じとした場合には、一回の操作で新しい紙葉の差し換えが行え、綴じ補助具１３の長さを綴じ具４の半分の長さとした場合には、綴じ具４上半分と下半分とに分けて二回操作することになるが、半分の長さとした場合でもごく短い時間で新しい紙葉およびカバーの差し換え作業を行うことができる。
【００３３】
【発明の効果】
本発明のリング綴じ冊子では、上記のように、紙葉の側辺に切り込み線を設けて、必要に応じて紙葉が綴じ具から剥がせるようにしたリング綴じ構造において、切り込み線を綴じ穴の一方の側縁に沿って設けることにより、Ｔ字形余白部の両端部を両側方向へ長く突出させたので、綴じ穴に挿通される係止片が、懐の深いＴ字形余白部の両端部内側に安定よく係止されるため、紙葉を不用意に引っ張っても紙葉が綴じ具から安易に剥がされないようにして、綴じ具としての機能を的確に維持することができる。
【００３４】
本発明の冊子のように、紙葉を頻繁に差し換える必要のある冊子としては、例えば、商品の品数が多く、新商品が生まれる都度、そのサンプルを遅滞なく顧客に提示する必要のある商品見本帳のような冊子があり、このような見本帳では、多数の頁をごく短期間のうちに能率的に差し換えできることが必要となる。そのような場合、本発明の綴じ補助具のようなものが備えられていない場合には、新頁の各係止片の間の余白部を指先で一つ一つ下方へ押し込んでいかなければならないため、一枚の新頁を差し換えるのに３乃至５分の時間と労力とを必要とするが、本発明の綴じ補助具によればこのような煩わしさを確実に解消することができ、季節ごとに異なる商品の種類を記載する見本帳などには最適であるほか、リング綴じ冊子の用途を大幅に拡張することができる。
【００３５】
さらに、紙葉およびカバーを差し換えるために必要なの綴じ補助具は、扁平な櫛状体からなっていて、利用しないときはカバーの裏面に設けた袋状の保管用収納部内に収納しておけば、冊子の通常の使用になんら邪魔にならず、しかも紛失のおそれがないので、頻繁に頁の差し換えを必要とする見本帳などには不可欠な用具とすることができる。
【００３６】
また、この発明の綴じ構造では、綴じ具から紙葉を自由に剥がすことができるため、この冊子の用途が終了して冊子を廃棄処分するさいには、紙葉と金属製の綴じ具とを分離して処分することができ、リサイクルに適するなどの効果を有している。
【図面の簡単な説明】
【図１】本発明に係るリング綴じ冊子の綴じ具と紙葉との構成を示す斜視図。
【図２】綴じ込み後の紙葉を閉じた状態の斜視図。
【図３】綴じ込み後の紙葉を開いた状態の斜視図。
【図４】紙葉を綴じ具から引き剥がしている状態を示す斜視図。
【図５】本発明の綴じ構造と、従来の綴じ構造との違いを比較する平面図であって、ａは本発明、ｂは従来例を示す。
【図６】綴じ補助具の形状と、この補助具を保管する収納部の形状を示す斜視図。
【図７】紙葉を綴じ補助具を用いて取り付ける時の側面図であり、ａは装着前、ｂは装着後の状態を示す。
【図８】綴じ補助具で紙葉を綴じ込むための操作を示す斜視図。
【符号の説明】
１：紙葉、
２：側辺、
３：綴じ穴、
３ａ，３ｂ：綴じ穴側縁
４：綴じ具、
５：針金、
６：係止片、
６ａ、６ｂ：係止部材、
７：基端部、
８：接続片、
９：切り込み線、
１０Ａ，１０Ｂ：鈎型通路、
１１：Ｔ字形余白部、
１２：余白部両端部、保管用収納部、
１３：Ｉ字形ストッパー
１４：綴じ具補助具、
１５：基端辺、
１６：差込み突片、
１７：カバー、
１８：綴じ具補助具保管用収納部、
【図１】
2004262215.tif 000003
【図２】
2004262215.tif 000004
【図３】
2004262215.tif 000005
【図４】
2004262215.tif 000006
【図５】
2004262215.tif 000007
【図６】
2004262215.tif 000008
【図７】
2004262215.tif 000009
【図８】
2004262215.tif 000010